(57)【要約】【課題】クーポン利用を促進させることが可能なクーポン提供システム等を提供する。【解決手段】携帯端末の透かし読み取りアプリケーションは、ダイレクトメール上の電子透かし領域を撮影部に読み取らせ（Ｓ２）、読み取らせた透かしＩＤとアプリケーションＩＤをブラウザ経由で、クーポン管理サーバに送信し、コマーシャル情報送信を要求する（Ｓ３、Ｓ４）。クーポン管理サーバは、透かしＩＤに対応するコマーシャル情報を検索し、携帯端末３に返信する（Ｓ５、Ｓ７）。携帯端末のブラウザは、受信したコマーシャル情報を再生し、再生終了後にクーポン取得ボタンを表示させ、そのボタン押下を検知すると、クーポン管理サーバにクーポン情報送信を要求する（Ｓ８〜Ｓ１１）。クーポン管理サーバは、先に送信したコマーシャル情報のコマーシャルＩＤに対応するクーポン情報を検索し（Ｓ１２）、携帯端末に返信する（Ｓ１９）。【選択図】図５
2014130458.tif 000002
【特許請求の範囲】
【請求項１】
クーポン情報を管理するクーポン管理サーバと、クーポン利用端末と、携帯端末とがネットワークを介して接続されるクーポン提供システムであって、
前記クーポン管理サーバは、
前記クーポン情報、コマーシャル情報、および前記携帯端末が所有するアプリケーションのアプリーケーションＩＤであって携帯端末毎に異なるものを記憶する記憶手段と、
前記携帯端末から送信されてくる前記コマーシャル情報の識別情報に基づいて、前記記憶手段に記憶されている前記コマーシャル情報を読み出し、前記ネットワークを介して前記携帯端末に送信する第１の送信手段と、
前記携帯端末からの要求に基づいて、前記記憶手段に記憶されている前記コマーシャル情報に紐付けられた前記クーポン情報のクーポンＩＤを読み出し、前記ネットワークを介して前記携帯端末に送信する第２の送信手段と、
読み出された前記クーポン情報のクーポンＩＤと前記アプリケーションＩＤを対応付ける対応付け手段と、
を具備し、
前記クーポン利用端末は、
前記携帯端末から前記アプリケーションＩＤを受信すると、前記ネットワークを介して前記クーポン管理サーバにアクセスし、前記アプリケーションＩＤに紐付けられた前記クーポン情報を受信し、提示する提示手段を具備する
ことを特徴とするクーポン提供システム。
【請求項２】
前記コマーシャル情報の識別情報は、印刷物に埋め込まれた透かし情報であり、前記印刷物を撮像することによって得られる
ことを特徴とする請求項１に記載のクーポン提供システム。
【請求項３】
前記クーポン管理サーバの記憶手段は、前記クーポン情報の取得履歴、前記コマーシャル情報の閲覧履歴をさらに記憶する
ことを特徴とする請求項１または請求項２に記載のクーポン提供システム。
【請求項４】
前記携帯端末および前記クーポン利用端末は、近距離無線通信方式により通信を行う
ことを特徴とする請求項１乃至請求項３のいずれかに記載のクーポン提供システム。
【請求項５】
クーポン情報を管理するクーポン管理サーバと、クーポン利用端末と、携帯端末とがネットワークを介して接続されるクーポン提供システムで行われるクーポン提供方法であって、
前記クーポン管理サーバは、
前記クーポン情報、コマーシャル情報、および前記携帯端末が所有するアプリケーションのアプリーケーションＩＤであって携帯端末毎に異なるものを記憶する記憶ステップと、
前記携帯端末から送信されてくる前記コマーシャル情報の識別子に基づいて、前記記憶ステップで記憶されたコマーシャル情報を読み出し、前記ネットワークを介して前記携帯端末に送信する第１の送信ステップと、
前記携帯端末からの要求に基づいて、前記記憶ステップで記憶された前記コマーシャル情報に紐付けられた前記クーポン情報のクーポンＩＤを読み出し、前記ネットワークを介して前記携帯端末に送信する第２の送信ステップと、
読み出された前記クーポン情報のクーポンＩＤと前記アプリケーションＩＤを対応付ける対応付けステップと、
を含み、
前記クーポン利用端末は、
前記携帯端末から前記アプリケーションＩＤを受信すると、前記ネットワークを介して前記クーポン管理サーバにアクセスし、前記アプリケーションＩＤに紐付けられた前記クーポン情報を受信し、提示する提示ステップを含む
ことを特徴とするクーポン提供方法。
【発明の詳細な説明】
【技術分野】
【０００１】
本発明は、サーバ側で管理されるクーポンを、ネットワークを介して接続された端末等に提供するクーポン提供システム等に関するものである。
【背景技術】
【０００２】
近年、携帯電話機やスマートフォンなどの携帯情報端末の普及に伴い、商品の割引サービスや商品の無料サービスなどの特典が付加された紙媒体のクーポン券を電子化した電子クーポンを携帯情報端末に記憶させ、店舗で電子クーポンを利用できるようになってきている。
【０００３】
例えば、特許文献１には、利用者が、クーポンやチケットに関する情報を、ネットワークを介して容易に入手することができるデータ送受信サービスに関する技術が提案されている。また特許文献２には、ＲＦＩＤタグに記録された電子クーポンのクーポン情報を店舗側で容易に確認することができる電子クーポンサービスに関する技術が提案されている。
【先行技術文献】
【特許文献】
【０００４】
【特許文献１】特開２００２−２０７９０７号公報
【特許文献２】特開２００５−２２２４３５号公報
【発明の概要】
【発明が解決しようとする課題】
【０００５】
特許文献１および特許文献２に記載の技術では、ユーザに電子クーポンを配布したとしても、ユーザがその電子クーポンを利用するとは限らず、販売実績につながらないのが現状である。つまり、ユーザに対し、クーポン利用を促進させるシステムは考慮されていない課題があった。
【０００６】
本発明は、前述した問題点に鑑みてなされたもので、その目的とすることは、クーポン利用を促進させることが可能なクーポン提供システムなどを提供することである。
【課題を解決するための手段】
【０００７】
前述した目的を達成するための第１の発明は、クーポン情報を管理するクーポン管理サーバと、クーポン利用端末と、携帯端末とがネットワークを介して接続されるクーポン提供システムであって、前記クーポン管理サーバは、前記クーポン情報、コマーシャル情報、および前記携帯端末が所有するアプリケーションのアプリーケーションＩＤであって携帯端末毎に異なるものを記憶する記憶手段と、前記携帯端末から送信されてくる前記コマーシャル情報の識別情報に基づいて、前記記憶手段に記憶されている前記コマーシャル情報を読み出し、前記ネットワークを介して前記携帯端末に送信する第１の送信手段と、前記携帯端末からの要求に基づいて、前記記憶手段に記憶されている前記コマーシャル情報に紐付けられた前記クーポン情報のクーポンＩＤを読み出し、前記ネットワークを介して前記携帯端末に送信する第２の送信手段と、読み出された前記クーポン情報のクーポンＩＤと前記アプリケーションＩＤを対応付ける対応付け手段と、を具備し、前記クーポン利用端末は、前記携帯端末から前記アプリケーションＩＤを受信すると、前記ネットワークを介して前記クーポン管理サーバにアクセスし、前記アプリケーションＩＤに紐付けられた前記クーポン情報を受信し、提示する提示手段を具備することを特徴とするクーポン提供システムである。
第１の発明によって、クーポン利用を促進させることが可能能となる。
【０００８】
前記コマーシャル情報の識別情報は、印刷物に埋め込まれた透かし情報であり、前記印刷物を撮像することによって得られる。
これによって、クーポン提供のために作成するダイレクトメールのデザイン性を損なわずに済む。
【０００９】
前記クーポン管理サーバの記憶手段は、前記クーポン情報の取得履歴、前記コマーシャル情報の閲覧履歴をさらに記憶する。
これによって、ユーザのクーポン取得状況や利用状況を管理することができる。
【００１０】
前記携帯端末および前記クーポン利用端末は、近距離無線通信方式により通信を行う。
これによって、クーポンを、店舗などの利用端末に高速で送信し、簡便に割引処理を受けることができる。
【００１１】
第２の発明は、クーポン情報を管理するクーポン管理サーバと、クーポン利用端末と、携帯端末とがネットワークを介して接続されるクーポン提供システムで行われるクーポン提供方法であって、前記クーポン管理サーバは、前記クーポン情報、コマーシャル情報、および前記携帯端末が所有するアプリケーションのアプリーケーションＩＤであって携帯端末毎に異なるものを記憶する記憶ステップと、前記携帯端末から送信されてくる前記コマーシャル情報の識別子に基づいて、前記記憶ステップで記憶されたコマーシャル情報を読み出し、前記ネットワークを介して前記携帯端末に送信する第１の送信ステップと、前記携帯端末からの要求に基づいて、前記記憶ステップで記憶された前記コマーシャル情報に紐付けられた前記クーポン情報のクーポンＩＤを読み出し、前記ネットワークを介して前記携帯端末に送信する第２の送信ステップと、読み出された前記クーポン情報のクーポンＩＤと前記アプリケーションＩＤを対応付ける対応付けステップと、を含み、前記クーポン利用端末は、前記携帯端末から前記アプリケーションＩＤを受信すると、前記ネットワークを介して前記クーポン管理サーバにアクセスし、前記アプリケーションＩＤに紐付けられた前記クーポン情報を受信し、提示する提示ステップを含むことを特徴とするクーポン提供方法である。
第２の発明によって、クーポン利用を促進させることが可能能となる。
【発明の効果】
【００１２】
本発明により、クーポン利用を促進させることが可能なクーポン提供システム等を提供することができる。
【図面の簡単な説明】
【００１３】
【図１】本発明の実施の形態に係るクーポン提供システムの構成例を示す図である。
【図２】クーポン管理サーバ（クーポン利用端末）の構成例を示す図である。
【図３】クーポン管理サーバの記憶部に記憶されるデータテーブルの一例を示す図である。
【図４】携帯端末の構成例を示す図である。
【図５】クーポン取得処理を説明するフローチャートである。
【図６】携帯端末に表示されるコマーシャル再生画面の表示例を示す図である。
【図７】コマーシャル再生画面に重畳表示されるクーポン取得ボタンの例を示す図である。
【図８】携帯端末に表示されるユーザ情報入力画面の表示例を示す図である。
【図９】携帯端末に表示されるクーポン表示画面の表示例を示す図である。
【図１０】クーポン利用処理を説明するフローチャートである。
【図１１】クーポン利用端末に表示されるクーポン一覧画面の表示例を示す図である。
【図１２】他のクーポン取得処理を説明するフローチャートである。
【図１３】他のクーポン利用処理を説明するフローチャートである。
【図１４】携帯端末に表示されるクーポン一覧画面の表示例を示す図である。
【発明を実施するための形態】
【００１４】
以下、図面に基づいて、本発明の実施形態を詳細に説明する。
【００１５】
［本発明の実施の形態］
（クーポン提供システムの構成）
図１は、本発明の実施の形態に係るクーポン提供システム１の構成例を示す図である。
【００１６】
図１に示すように、クーポン提供システム１は、クーポン管理サーバ２、携帯端末３、およびクーポン利用端末４がネットワーク６を介して接続されることで構成されている。ネットワーク６は、ＬＡＮ（Local  Area  Network）、インターネット等である。なお、クーポン管理サーバ２、携帯端末３、クーポン利用端末４、およびＲ／Ｗ（リーダ／ライタ）５の数は、任意であり、それぞれ複数設けることも勿論可能である。
【００１７】
クーポン発行者は、クーポン管理サーバ２に保管されている、対象商品の販促用のコマーシャル情報にアクセスするためのＩＤを電子透かしとして埋め込んだダイレクトメールを作成し、消費者（携帯端末３のユーザ等）に発送する。
【００１８】
以下、電子透かしとして埋め込んだＩＤを、透かしＩＤと称する。本実施の形態においては、ダイレクトメールに透かしＩＤを埋め込む場合を例に挙げ説明するが、これに限らず、例えば、郵便物（葉書、封書（クレジットカードの明細書等））、郵送に準じる送付手段（メール便等）による印刷物、個人を訪問して直接渡す印刷物（デパート外商部員が、個人宅を訪問して渡すパンプレット等）、消費者に販売促進等を目的に配布される印刷物に透かしＩＤを埋め込むようにしてもよい。
【００１９】
クーポン管理サーバ２は、例えば、ＣＰＵ（Central  Processing  Unit）、ＲＯＭ（Read  Only  Memory）、ＲＡＭ（Random  Access  Memory）、ＨＤＤ（Hard  Disk  Drive）等を有するコンピュータであり、クーポン情報、および、クーポン情報に関連するコマーシャル情報をデータテーブルで管理している。
【００２０】
クーポン管理サーバ２は、携帯端末３からのクーポン送信要求を受信すると、その送信要求に含まれる透かしＩＤに基づいて、データテーブルから対応するコマーシャル情報を読み出し、携帯端末３に返信する。クーポン管理サーバ２は、携帯端末３に先に返信したコマーシャル情報の閲覧（再生）が終了した後、データテーブルからコマーシャル情報に関連するクーポン情報を読み出し、携帯端末３に返信する。クーポン管理サーバ２は、携帯端末３からのクーポン送信要求に含まれる携帯端末３が所有するアプリケーションのアプリケーションＩＤをクーポン情報に紐付けてデータテーブルに記憶する。
【００２１】
また、クーポン管理サーバ２は、クーポン利用端末４からクーポン送信要求を受信すると、その送信要求に含まれる携帯端末３のアプリケーションＩＤに基づいて、アプリケーションＩＤに紐付けられたクーポン情報をデータテーブルから読み出し、クーポン利用端末４に返信する。さらに、クーポン管理サーバ２は、クーポン利用端末４からクーポンの利用通知を受信すると、データテーブルで管理しているクーポン情報の履歴を更新する。
【００２２】
携帯端末３は、ＣＰＵ、ＲＯＭ、ＲＡＭ、入力部、および表示画面などを実装した携帯型コンピュータであって、例えば、スマートフォン、カメラ付き携帯電話機、タブレット端末（携帯情報端末）等である。
【００２３】
携帯端末３は、クーポン発行者から発送されたダイレクトメール上の電子透かしを読み取ると、予め記憶しているクーポン管理サーバ２にアクセスするためのＵＲＬ（Uniform Resource Locator）に基づいて、ネットワーク６を介してクーポン管理サーバ２にアクセスし、読み取ったデータ（透かしＩＤ）を送信し、対応するコマーシャル情報を取得する。携帯端末３は、取得したコマーシャル情報を閲覧（再生）し、閲覧後、そのコマーシャル情報に関連するクーポン情報をクーポン管理サーバ２から受信し、表示する。
【００２４】
携帯端末３は、ＮＦＣ（Near Field Communication）方式の近距離無線通信機能を備えている。
【００２５】
ＮＦＣ方式の近距離無線通信とは、ＩＳＯ／ＩＥＣ２１４８１（ＮＦＣＩＰ−２）規格に沿った通信方式、又は、将来これを含んで拡張される通信方式を意味する。ＮＦＣ方式のデバイスには、対応すべき３つのモードが規定されている。
１．リーダ／ライタモード
ＮＦＣデバイスが、非接触ＩＣカードに相当するデバイスから、データの読み込み及び書き込みを行うモードである。
２．カードエミュレーションモード
ＮＦＣデバイスが、非接触ＩＣカードの役割をするモードである。
３．Ｐ２Ｐ（Ｐｅａｒ  ｔｏ  Ｐｅａｒ）モード
ＮＦＣ方式のデバイス（イニシエータ）が、他のＮＦＣ方式のデバイス（ターゲット）と、双方向通信をするモードである。
【００２６】
クーポン利用端末４は、例えば、店舗や街頭に設置されたＰＯＳ（Point Of Sales）システムである。クーポン利用端末４には、ＮＦＣ方式の近距離無線通信を行うＲ／Ｗ（リーダ／ライタ）５が接続されている。
【００２７】
例えば、商品購入の際、ユーザが、Ｒ／Ｗ５に携帯端末３をかざす（近接させる）と、クーポン利用端末４は、Ｒ／Ｗ５を介して、ＮＦＣ方式のＰ２Ｐモードで携帯端末３のアプリケーションＩＤを取得し、そのアプリケーションＩＤに基づいて利用可能なクーポン情報をクーポン管理サーバ２に問い合わせ、問い合わせに応じて返信されてくるクーポン情報を取得し、表示画面に提示する。そして、ユーザによって、利用クーポンが選択されると、クーポン利用端末４は、選択されたクーポン情報に基づいた割引処理を実行し、クーポンの利用通知をクーポン管理サーバ２に送信する。
【００２８】
（各端末の構成）
図２は、クーポン管理サーバ２（クーポン利用端末４）の構成例を示す図である。尚、図２の構成はあくまで一例であり、用途、目的に応じて様々な構成を採ることが可能である。
【００２９】
クーポン管理サーバ２（クーポン利用端末４）を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００３０】
制御部１１は、ＣＰＵ、ＲＯＭ、ＲＡＭ等で構成される。
【００３１】
ＣＰＵは、記憶部１２、ＲＯＭ、記録媒体等に格納されるプログラムをＲＡＭ上のワークメモリ領域に呼び出して実行し、バス１８を介して接続された各部を駆動制御し、クーポン管理サーバ２（クーポン利用端末４）が行う後述する処理を実現する。ＲＯＭは、不揮発性メモリであり、コンピュータのブートプログラムやＢＩＯＳ（Basic Input/Output System）等のプログラム、データ等を恒久的に保持している。ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００３２】
記憶部１２は、ＨＤＤ（ハードディスクドライブ）であり、制御部１１が実行するプログラム、プログラム実行に必要なデータ、ＯＳ（オペレーティングシステム）等を格納する。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてＲＡＭに移され、ＣＰＵに読み出されて各種の手段として実行される。
【００３３】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部１４は、通信制御装置、通信ポート等を有し、コンピュータとネットワーク６間の通信を媒介する通信インターフェースであり、ネットワーク６を介して、他のコンピュータ間との通信制御を行う。ネットワーク６は、有線、無線を問わない。
【００３４】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。表示部１６は、ＣＲＴモニタ、液晶パネル等のディスプレイ装置、ディスプレイ装置と連携してコンピュータのビデオ機能を実現するための論理回路等（ビデオアダプタ等）を有する。
【００３５】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢ（Universal Serial Bus）やＩＥＥＥ（The Institute of
Electrical and Electronics Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００３６】
図３は、クーポン管理サーバ２の記憶部１２に記憶されるデータテーブルの一例を示す図である。図３に示すように、クーポン管理サーバ２の記憶部１２は、少なくとも、透かし管理テーブル２１、コマーシャル管理テーブル２２、クーポン管理テーブル２３、コマーシャル閲覧履歴テーブル２４、クーポン取得履歴テーブル２５、およびユーザ情報テーブル２６を記憶している。
【００３７】
透かし管理テーブル２１は、少なくとも、透かしＩＤ２１Ａ、コマーシャルＩＤ２１Ｂ、クーポンＩＤ２１Ｃを記憶する。透かしＩＤ２１Ａは、ダイレクトメールに電子透かしとして埋め込まれた透かし情報を一意に識別するための情報である。コマーシャルＩＤ２１Ｂは、透かしＩＤ２１Ａに紐付けられたコマーシャル情報を一意に識別するための情報である。クーポンＩＤ２１Ｃは、透かしＩＤ２１ＡおよびコマーシャルＩＤ２１Ｂに紐付けられたクーポン情報を一意に識別するための情報である。
【００３８】
コマーシャル管理テーブル２２は、少なくとも、コマーシャルＩＤ２２Ａ、ファイル名２２Ｂを記憶する。コマーシャルＩＤ２２Ａは、コマーシャル情報を一意に識別するための情報であり、透かし管理テーブル２１のコマーシャルＩＤ２１Ｂに紐付けられている。ファイル名２２Ｂは、動画などのコマーシャル情報である。
【００３９】
クーポン管理テーブル２３は、少なくとも、クーポンＩＤ２３Ａ、特典内容２３Ｂ、利用回数上限２３Ｃ、利用開始日時２３Ｄ、利用終了日時２３Ｅを記憶する。クーポンＩＤ２３Ａは、クーポン情報を一意に識別するための情報であり、透かし管理テーブル２１のクーポンＩＤ２１Ｃに紐付けられている。特典内容２３Ｂは、クーポン名称、割引率（または割引額）、発行者、画像等を含む。利用回数上限２３Ｃは、クーポン情報の利用可能な上限回数を示す。利用開始日時２３Ｄは、クーポン情報の利用可能な期間の開始日時を示す。利用終了日時２３Ｅは、クーポン情報の利用可能な期間の終了日時を示す。
【００４０】
コマーシャル閲覧履歴テーブル２４は、少なくとも、アプリケーションＩＤ２４Ａ、コマーシャルＩＤ２４Ｂ、閲覧日時２４Ｃを記憶する。アプリケーションＩＤ２４Ａは、携帯端末３が所有する透かし読み取りアプリケーションを一意に識別するための情報である。コマーシャルＩＤ２４Ｂは、コマーシャル情報を一意に識別するための情報であり、透かし管理テーブル２１のコマーシャルＩＤ２１Ｂ、コマーシャル管理テーブル２２のコマーシャルＩＤ２２Ａに紐付けられている。閲覧日時２４Ｃは、コマーシャルＩＤ２４Ｂに紐付けられたコマーシャル情報（コマーシャル管理テーブル２２のファイル名２２Ｂ）が携帯端末３で閲覧された日時を示す。
【００４１】
クーポン取得履歴テーブル２５は、少なくとも、アプリケーションＩＤ２５Ａ、クーポンＩＤ２５Ｂ、発行日時２５Ｃ、利用回数２５Ｄ、最終利用日時２５Ｅを記憶する。アプリケーションＩＤ２５Ａは、携帯端末３が所有する透かし読み取りアプリケーションを一意に識別するための情報であり、コマーシャル閲覧履歴テーブル２４のアプリケーションＩＤ２４Ａに紐付けられている。クーポンＩＤ２５Ｂは、クーポン情報を一意に識別するための情報であり、透かし管理テーブル２１のクーポンＩＤ２１Ｃ、クーポン管理テーブル２３のクーポンＩＤ２３Ａに紐付けられている。発行日時２５Ｃは、クーポン情報を携帯端末３に発行（送信）した日時を示す。利用回数２５Ｄは、携帯端末３がクーポンＩＤ２５Ｂに対応するクーポン情報を利用した回数を示す。最終利用日時２５Ｅは、携帯端末３がクーポンＩＤ２５Ｂに対応するクーポン情報を利用した最終日時を示す。
【００４２】
ユーザ情報テーブル２６は、少なくとも、アプリケーションＩＤ２６Ａ、メールアドレス２６Ｂ、性別２６Ｃ、年齢２６Ｄ、郵便番号２６Ｅを記憶する。アプリケーションＩＤ２６Ａは、携帯端末３が所有する透かし読み取りアプリケーションを一意に識別するための情報であり、コマーシャル閲覧履歴テーブル２４のアプリケーションＩＤ２４Ａ、クーポン取得履歴テーブル２５のアプリケーションＩＤ２５Ａに紐付けられている。メールアドレス２６Ｂは、携帯端末３のユーザが所有するメールアドレスを示す。性別２６Ｃは、携帯端末３のユーザの性別を示す。年齢２６Ｄは、携帯端末３のユーザの年齢を示す。郵便番号２６Ｅは、携帯端末３のユーザが居住する住所の郵便番号を示す。
【００４３】
図４は、携帯端末３の構成例を示す図である。尚、図４の構成は、あくまで一例であり、用途、目的に応じて様々な構成を採ることが可能である。
【００４４】
携帯端末３は、制御部３１、記憶部３２、通信制御部３３、入力部３４、表示部３５、近距離無線通信部３６、撮影部３７などが、バス３８を介して接続される。
【００４５】
制御部３１は、ＣＰＵ、ＲＯＭ、ＲＡＭ等で構成される。制御部３１は、記憶部３２に記憶されたプログラムに基づいて所定の処理を行い、通話機能、ブラウザ機能、およびメール機能などを実現する。また制御部３１は、撮影部３７を制御し、ダイレクトメール上に埋め込まれている電子透かしを撮影させ、その撮影画像から透かし情報を読み取る。
【００４６】
記憶部３２は、制御部３１が実行するプログラム、プログラム実行に必要なデータ、ＯＳ等を格納するとともに、近距離無線通信部３６経由で提供されたデータ等を記憶する。
【００４７】
通信制御部３３は、通信制御装置、通信ポート等を有し、携帯端末３とネットワーク６間の通信を媒介する通信インターフェースであり、ネットワーク６を介して、他のコンピュータ又は他の携帯端末との音声通信やデータ通信の制御を行う。
【００４８】
入力部３４は、ボタンやタッチパネルなどで構成され、操作指示、動作指示、データ入力等を行う。表示部３５は、液晶パネル等のディスプレイ装置であり、制御部３１から供給される情報を表示する。入力部３４および表示部３５は、タッチパネルディスプレイのように、一体となっていても良い。
【００４９】
近距離無線通信部３６は、図示しないアンテナを用いて、ＮＦＣ方式の近距離無線通信を行う。撮影部３７は、デジタルスチルカメラ等からなり、制御部３１の制御の下、ダイレクトメールの電子透かしが埋め込まれた所定領域を撮影する。
【００５０】
（クーポン取得処理）
図５は、携帯端末３がクーポン管理サーバ２からクーポンを取得する処理を説明するフローチャートである。この処理を開始するにあたり、携帯端末３のユーザには、予めクーポン発行者から、電子透かしが埋め込まれたダイレクトメールが発送されている。
【００５１】
ステップＳ１において、携帯端末３の制御部３１は、ユーザからのアプリケーション起動指示に基づいて、記憶部３２から透かし読み取りアプリケーションを読み出し、起動する。ステップＳ２において、携帯端末３の制御部３１（透かし読み取りアプリケーション）は、ユーザからの撮影指示に基づいて、撮影部３７を制御し、ダイレクトメール上の電子透かしが埋め込まれた所定領域を読み取らせる。
【００５２】
ステップＳ３において、携帯端末３の制御部３１（透かし読み取りアプリケーション）は、記憶部３２からブラウザを読み出して起動させるとともに、ステップＳ２の処理で読み取らせた透かしＩＤ、予め記憶しているクーポン管理サーバ２にアクセスするためのＵＲＬ、および透かし読み取りアプリケーションのアプリケーションＩＤをブラウザに渡す。
【００５３】
ステップＳ４において、携帯端末３の制御部３１（ブラウザ）は、クーポン管理サーバ２にアクセスするためのＵＲＬに基づいて、クーポン管理サーバ２にアクセスし、透かし読み取りアプリケーションから受け取った透かしＩＤおよびアプリケーションＩＤを、ネットワーク６を介してクーポン管理サーバ２に送信し、コマーシャル情報の送信を要求する。
【００５４】
ステップＳ５において、クーポン管理サーバ２の制御部１１は、携帯端末３からの要求に応じて、要求に含まれる透かしＩＤに対応するコマーシャル情報を記憶部１２から検索する。より詳細には、透かし管理テーブル２１の透かしＩＤ２１Ａに紐付けられたコマーシャルＩＤ２１Ｂが検索され、そのコマーシャルＩＤ２１Ｂから、コマーシャル管理テーブル２２のコマーシャルＩＤ２２Ａに紐付けられたファイル名２２Ｂが検索される。
【００５５】
ステップＳ６において、クーポン管理サーバ２の制御部１１は、ステップＳ５の処理で受信した要求に含まれるアプリケーションＩＤ、ステップＳ５の処理で検索したコマーシャル情報のコマーシャルＩＤ、および閲覧日時（いまの日時）を履歴として、記憶部１２のコマーシャル閲覧履歴テーブル２４に追加する。ステップＳ７において、クーポン管理サーバ２の制御部１１は、ステップＳ５の処理で検索したコマーシャル情報（ファイル名２２Ｂ）を、ネットワーク６を介して携帯端末３に送信する。
【００５６】
ステップＳ８において、携帯端末３の制御部３１（ブラウザ）は、ネットワーク６を介してクーポン管理サーバ２から送信されてきたコマーシャル情報を受信する。ステップＳ９において、携帯端末３の制御部３１（ブラウザ）は、ステップＳ８の処理で受信したコマーシャル情報を表示部３５で再生（閲覧）させる。これにより、例えば、図６に示すようなコマーシャル再生画面が表示部３５に再生される。
【００５７】
ステップＳ１０において、携帯端末３の制御部３１（ブラウザ）は、表示部３５で再生されているコマーシャル情報の再生（閲覧）が終了したと判定した場合、コマーシャル再生画面上に、例えば、図７に示すようなクーポン取得ボタン４１を重畳表示させる。ユーザは、クーポン取得ボタン４１を押下することで、クーポン管理サーバ２に対し、クーポン情報の送信を要求することができる。
【００５８】
ステップＳ１１において、携帯端末３の制御部３１（ブラウザ）は、ユーザによるクーポン取得ボタン４１の押下を検知し、ネットワーク６を介してクーポン管理サーバ２にクーポン情報の送信を要求する。
【００５９】
ステップＳ１２において、クーポン管理サーバ２の制御部１１は、携帯端末３からの要求に応じて、先に送信したコマーシャル情報のコマーシャルＩＤに対応するクーポン情報を記憶部１２から検索する。より詳細には、透かし管理テーブル２１のコマーシャルＩＤ２１Ｂに紐付けられたクーポンＩＤ２１Ｃが検索され、そのクーポンＩＤ２１Ｃから、クーポン管理テーブル２３のクーポンＩＤ２３Ａが検索される。
【００６０】
ステップＳ１３において、クーポン管理サーバ２の制御部１１は、ステップＳ５の処理で受信したアプリケーションＩＤ、ステップＳ１２の処理で検索したクーポンＩＤ、発行日時（いまの日時）、利用回数（いまの場合、１回）、および最終利用日時（いまの場合、発行日時と同じ）を履歴として、記憶部１２のクーポン取得履歴テーブル２５に追加する。
【００６１】
ステップＳ１４において、クーポン管理サーバ２の制御部１１は、ステップＳ５の処理で受信した要求に含まれるアプリケーションＩＤが、ユーザ情報テーブル２６に登録されているか否かを判定し、ユーザ情報が無い（アプリケーションＩＤが無い）と判定した場合、ステップＳ１５に進む。ステップＳ１５において、クーポン管理サーバ２の制御部１１は、ユーザ情報入力画面のデータを、ネットワーク６を介して携帯端末３に返信する。これにより、携帯端末３の表示部３５には、例えば、図８に示すようなユーザ情報入力画面が表示され、ユーザは、メールアドレス、性別、年齢、郵便番号等を入力し、ユーザ登録の手続きを行うことができる。
【００６２】
ステップＳ１６において、携帯端末３の制御部３１（ブラウザ）は、表示部３５に表示されているユーザ情報入力画面への入力を検知する。ステップＳ１７において、携帯端末３の制御部３１（ブラウザ）は、ステップＳ１６の処理で検知したユーザ情報を、ネットワーク６を介してクーポン管理サーバ２へ送信する。
【００６３】
ステップＳ１８において、クーポン管理サーバ２の制御部１１は、ネットワーク６を介して携帯端末３より送信されてきたユーザ情報を受信し、ステップＳ５の処理で受信したアプリケーションＩＤに紐付けて、記憶部１２のユーザ情報テーブル２６に登録する。
【００６４】
ステップＳ１４において、クーポン管理サーバ２の制御部１１は、ユーザ情報テーブル２６にユーザ情報が登録されている（アプリケーションＩＤが有る）と判定した場合、ステップＳ１５〜Ｓ１８の処理をスキップし、ステップＳ１９に進む。
【００６５】
ステップＳ１９において、クーポン管理サーバ２の制御部１１は、ステップＳ１２の処理で検索したクーポン情報（例えば、クーポンＩＤおよびクーポン表示画面のデータ）を、ネットワーク６を介して携帯端末３に返信する。ステップＳ２０において、携帯端末３の制御部３１は、ネットワーク６を介してクーポン管理サーバ２から送信されてきたクーポン情報を表示部３５に表示させる。これにより、例えば、図９に示すようなクーポン表示画面が表示部３５に表示される。
【００６６】
（クーポン利用処理）
図１０は、携帯端末３のユーザがクーポンを利用する処理を説明するフローチャートである。この処理を開始するにあたり、ユーザは、販売店を訪問し、対象商品を購入する際、携帯端末３をクーポン利用端末４に接続されたＲ／Ｗ５にかざす（近接させる）。
【００６７】
ステップＳ３１において、クーポン利用端末４の制御部１１は、ＮＦＣ方式のＰ２Ｐモードで、Ｒ／Ｗ５を介して携帯端末３を検知し、アプリケーション起動コマンドを、Ｒ／Ｗ５を介して携帯端末３に送信する。ステップＳ３２において、携帯端末３の制御部３１は、近距離無線通信部３６を介して、ＮＦＣ方式のＰ２Ｐモードで送信されてきたアプリケーション起動コマンドを受信し、記憶部３２から透かし読み取りアプリケーションを読み出し、起動する。
【００６８】
ステップＳ３３において、携帯端末３の制御部３１（透かし読み取りアプリケーション）は、ＮＦＣ方式のＰ２Ｐモードで、近距離無線通信部３６およびＲ／Ｗ５を介してクーポン利用端末４にアプリケーションＩＤを通知する。ステップＳ３４において、クーポン利用端末４の制御部１１は、ＮＦＣ方式のＰ２Ｐモードで、携帯端末３からＲ／Ｗ５を介して送信されてきたアプリケーションＩＤを取得する。
【００６９】
ステップＳ３５において、クーポン利用端末４の制御部１１は、携帯端末３から取得したアプリケーションＩＤを、ネットワーク６を介してクーポン管理サーバ２に送信し、そのアプリケーションＩＤに紐付いたクーポンを問い合わせる。
【００７０】
ステップＳ３６において、クーポン管理サーバ２の制御部１１は、ネットワーク６を介してクーポン利用端末４から送信されてきたアプリケーションＩＤに基づいて、記憶部１２のクーポン取得履歴テーブル２５を参照し、利用可能なクーポン情報を検索する。より詳細には、クーポン取得履歴テーブル２５のアプリケーションＩＤ２５Ａに紐付けられたクーポンＩＤ２５Ｂが検索され、そのクーポンＩＤ２５Ｂから、クーポン管理テーブル２３のクーポンＩＤ２３Ａに紐付けられた特典内容２３Ｂ〜利用終了日時２３Ｅが検索される。
【００７１】
ステップＳ３７において、クーポン管理サーバ２の制御部１１は、ステップＳ３６の処理で検索したクーポン情報を、ネットワーク６を介してクーポン利用端末４に送信する。ステップＳ３８において、クーポン利用端末４の制御部１１は、ネットワーク６を介してクーポン管理サーバ２から送信されてきたクーポン情報を受信し、表示部１６に表示させる。これにより、例えば、図１１に示すようなクーポン一覧画面が表示される。ユーザは、クーポン一覧画面の中から、購入する対象商品のクーポンを選択（押下）し、購入手続きを進める。
【００７２】
ステップＳ３９において、クーポン利用端末４の制御部１１は、表示部１６に表示されているクーポン一覧画面上で、ユーザによる利用クーポンの選択を検知すると、選択されたクーポンに関する情報（例えば、クーポンＩＤなど）を、ネットワーク６を介してクーポン管理サーバ２に送信する。ステップＳ４０において、クーポン管理サーバ２の制御部１１は、ネットワーク６を介してクーポン利用端末４から送信されてきた選択クーポンに関する情報に基づいて、記憶部１２のクーポン取得履歴テーブル２５の利用回数２５Ｄを更新する。
【００７３】
ステップＳ４１において、クーポン利用端末４の制御部１１は、選択されたクーポンの特典情報を使って、清算（割引処理）する。クーポン利用端末４の制御部１１は、清算後、表示部１２に、「ご利用ありがとうございました」といったメッセージを表示させ、処理を終了する。
【００７４】
以上においては、ＮＦＣ方式のＰ２Ｐモードで、透かし読み取りアプリケーションからクーポン利用端末４にアプリケーションＩＤを通知するようにしたが（ステップＳ３３）、アプリケーションＩＤを携帯端末３のＮＦＣ領域内に保持させるようにしておくことで、Ｒ／Ｗ５から読み取ることも可能である。また、ＮＦＣ方式のＰ２Ｐモード以外の通信機能でアプリケーションＩＤを通知または取得することも可能である。
【００７５】
［本発明の実施の形態における効果］
１．以上のように、対象商品の販促用コマーシャルを閲覧させた後に、その商品のクーポンを取得させるようにしたので、販促効果を期待することができる。
２．クーポン管理サーバ２が、携帯端末３のアプリケーションＩＤと、コマーシャル情報に紐付けられたクーポン情報のクーポンＩＤを対応付けて管理するようにしたので、携帯端末３側でクーポン情報を管理する必要がなくなる。
３．クーポン管理サーバ２は、コマーシャル閲覧履歴やクーポン取得履歴をテーブルで管理するようにしたので、ユーザがよく利用するクーポンを把握し、集計することができ、嗜好情報として活用することができる。
４．ダイレクトメールに、コマーシャル情報にアクセスするための情報を電子透かしとして埋め込むことにより、ダイレクトメールのデザイン性を損なわずに、秘匿性を持たせた特典情報をユーザに提示することができる。
５．本実施の形態では、コマーシャル情報の閲覧後、クーポン情報を取得することができるようにしたが、これに限らず、例えば、音楽データや動画データ等のコンテンツを取得することができるようにしたり、または、ゲームカードに埋め込まれた電子透かしを読み取ることでアクションの動画が再生され、アクション動画再生後に、ゲームで利用できるキャラクター等のアイテムを取得することができるようにしてもよい。
【００７６】
［変形例］
以上においては、透かし読み取りアプリケーションが、クーポン管理サーバ２にアクセスするためのＵＲＬを予め記憶しており、ダイレクトメール上の透かしＩＤを読み取ると、読み取った透かしＩＤと記憶しているＵＲＬをブラウザに渡すようにした。本実施の形態は、これに限らず、例えば、ダイレクトメール上に、透かしＩＤおよびクーポン管理サーバ２にアクセスするためのＵＲＬを埋め込むようにすれば、透かし読み取りアプリケーションでＵＲＬを管理（記憶）する必要がなくなる。
【００７７】
また以上においては、クーポン管理サーバ２でクーポン情報を管理するようにしたが、これに限らず、透かし読み取りアプリケーション内で管理することも可能である。次に、透かし読み取りアプリケーション内でクーポン情報を管理し、そのクーポンを利用する場合の処理について説明する。
【００７８】
（クーポン取得処理）
図１２は、携帯端末３がクーポン管理サーバ２からクーポンを取得し、透かし読み取りアプリケーション内に保存する処理を説明するフローチャートである。この処理を開始するにあたり、携帯端末３のユーザには、予めクーポン発行者から、電子透かしが埋め込まれたダイレクトメールが発送されており、ユーザ登録も既に済んでいるものとする。なお、図５のフローチャートを参照して上述した処理と重複する説明は適宜省略する。
【００７９】
ステップＳ５１、Ｓ５２において、携帯端末３の制御部３１（透かし読み取りアプリケーション）は、ユーザからのアプリケーション起動指示に基づいて、透かし読み取りアプリケーションを起動し、ユーザからの撮影指示に基づいて、撮影部３７に、ダイレクトメール上の電子透かしが埋め込まれた所定領域を読み取らせる。
【００８０】
ステップＳ５３において、携帯端末３の制御部３１（透かし読み取りアプリケーション）は、ステップＳ５２の処理で読み取らせた透かしＩＤおよびアプリケーションＩＤを、ネットワーク６を介してクーポン管理サーバ２に送信し、コマーシャル情報の送信を要求する。
【００８１】
ステップＳ５４、Ｓ５５において、クーポン管理サーバ２の制御部１１は、携帯端末３からの要求に応じて、要求に含まれる透かしＩＤに対応するコマーシャル情報を記憶部１２から検索し、検索したコマーシャル情報（コマーシャルＩＤ）、要求に含まれるアプリケーションＩＤ、および閲覧日時を履歴として、記憶部１２のコマーシャル閲覧履歴テーブル２４に追加する。ステップＳ５６において、クーポン管理サーバ２の制御部１１は、ステップＳ５４の処理で検索したコマーシャル情報を、ネットワーク６を介して携帯端末３に送信する。
【００８２】
ステップＳ５７、Ｓ５８において、携帯端末３の制御部３１（透かし読み取りアプリケーション）は、ネットワーク６を介してクーポン管理サーバ２にから送信されてきたコマーシャル情報を受信し、図６に示したようなコマーシャル再生画面を表示部３５で再生（閲覧）させる。
【００８３】
ステップＳ５９、Ｓ６０において、携帯端末３の制御部３１（透かし読み取りアプリケーション）は、表示部３５で再生されているコマーシャル情報の再生（閲覧）が終了したと判定した場合、コマーシャル再生画面上に、図７に示したようなクーポン取得ボタン４１を重畳表示させ、ユーザによるクーポン取得ボタン４１の押下を検知し、ネットワーク６を介してクーポン管理サーバ２にクーポン情報の送信を要求する。
【００８４】
ステップＳ６１において、クーポン管理サーバ２の制御部１１は、携帯端末３からの要求に応じて、先に送信したコマーシャル情報のコマーシャルＩＤに対応するクーポン情報を記憶部１２から検索する。より詳細には、透かし管理テーブル２１のコマーシャルＩＤ２１Ｂに紐付けられたクーポンＩＤ２１Ｃが検索され、そのクーポンＩＤ２１Ｃから、クーポン管理テーブル２３のクーポンＩＤ２３Ａに紐付けられた特典内容２３Ｂ〜利用終了日時２３Ｅが検索される。
【００８５】
ステップＳ６２において、クーポン管理サーバ２の制御部１１は、ステップＳ６１の処理で検索したクーポン情報、ステップＳ５４の処理で受信したアプリケーションＩＤ、発行日時、利用回数、および最終利用日時を履歴として、記憶部１２のクーポン取得履歴テーブル２５に追加する。ステップＳ６３において、クーポン管理サーバ２の制御部１１は、ステップＳ６１の処理で検索したクーポン情報を、ネットワーク６を介して携帯端末３に返信する。
【００８６】
ステップＳ６４において、携帯端末３の制御部３１（透かし読み取りアプリケーション）は、ネットワーク６を介してクーポン管理サーバ２から送信されてきたクーポン情報を透かし読み取りアプリケーション内に保存し、ステップＳ６５において、図９に示したようなクーポン表示画面を表示部３５に表示させる。
【００８７】
（クーポン利用処理）
図１３は、携帯端末３の透かしアプリケーション内に保存されたクーポンを利用する処理を説明するフローチャートである。この処理を開始するにあたり、ユーザは、販売店を訪問し、対象商品を購入する際、携帯端末３の表示部３５に、例えば、図１４に示すようなクーポン一覧画面を表示させ、使用するクーポンを選択する。なお、図１０のフローチャートを参照して上述した処理と重複する説明は適宜省略する。
【００８８】
ステップＳ７１において、携帯端末３の制御部３１（透かし読み取りアプリケーション）は、クーポン一覧画面上で、ユーザによる利用クーポンの選択を検知する。ステップＳ７２において、クーポン利用端末４の制御部１１は、ＮＦＣ方式のＰ２Ｐモードで、Ｒ／Ｗ５を介して携帯端末３をターゲットとして検知し、アプリケーション起動コマンドを、Ｒ／Ｗ５を介して携帯端末３に送信する。
【００８９】
ステップＳ７３において、携帯端末３の制御部３１（透かし読み取りアプリケーション）は、近距離無線通信部３６を介して、ＮＦＣ方式のＰ２Ｐモードで送信されてきたアプリケーション起動コマンドを受信し、透かし読み取りアプリケーションを起動する。なお、既に、透かし読み取りアプリケーションが起動している場合には、ステップＳ７３の処理は不要である。
【００９０】
ステップＳ７４において、携帯端末３の制御部３１（透かし読み取りアプリケーション）は、ＮＦＣ方式のＰ２Ｐモードで、近距離無線通信部３６およびＲ／Ｗ５を介してクーポン利用端末４に対し、ユーザにより選択されたクーポン情報を通知する。ステップＳ７５において、クーポン利用端末４の制御部１１は、ＮＦＣ方式のＰ２Ｐモードで、携帯端末３からＲ／Ｗ５を介して使用クーポン情報を取得する。
【００９１】
ステップＳ７６において、クーポン利用端末４の制御部１１は、ステップＳ７５の処理で取得した使用クーポンの特典情報を使って、清算（割引処理）する。ステップＳ７７において、クーポン利用端末４の制御部１１は、ＮＦＣ方式のＰ２Ｐモードで、Ｒ／Ｗ５を介して携帯端末３にクーポン使用結果を通知する。
【００９２】
ステップＳ７８において、携帯端末３の制御部３１（透かし読み取りアプリケーション）は、近距離無線通信部３６を介して、ＮＦＣ方式のＰ２Ｐモードで送信されてきたクーポン使用結果を取得する。ステップＳ７９において、携帯端末３の制御部３１（透かし読み取りアプリケーション）は、ステップＳ７８の処理で取得したクーポン使用結果に基づいて、アプリケーション内に保存されているクーポン情報の選択クーポンの利用回数を更新する。
【００９３】
ステップＳ８０において、クーポン利用端末４の制御部１１は、ネットワーク６を介してクーポン管理サーバ２に対し、選択クーポンのクーポン使用結果を通知する。ステップＳ８１において、クーポン管理サーバ２の制御部１１は、ネットワーク６を介してクーポン利用端末４から送信されてきた選択クーポンのクーポン使用結果に基づいて、記憶部１２のクーポン取得履歴テーブル２５の利用回数２５Ｄを更新する。その後、クーポン利用端末４の制御部１１は、表示部１２に、「ご利用ありがとうございました」といったメッセージを表示させ、処理を終了する。
【００９４】
以上のように、透かし読み取りアプリケーション内でクーポン情報を管理する場合にも、まずは、対象商品の販促用コマーシャルを閲覧させるようにするため、販促効果を期待することができる。
【００９５】
以上、添付図面を参照しながら、本発明に係るクーポン提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９６】
１………クーポン提供システム
２………クーポン管理サーバ
３………携帯端末
４………クーポン利用端末
５………Ｒ／Ｗ
６………ネットワーク
１１………制御部
１２………記憶部
１４………通信制御部
１６………表示部
３１………制御部
３２………記憶部
３５………表示部
３６………近距離無線通信部
３７………撮影部
【図１】
2014130458.tif 000003
【図２】
2014130458.tif 000004
【図３】
2014130458.tif 000005
【図４】
2014130458.tif 000006
【図５】
2014130458.tif 000007
【図６】
2014130458.tif 000008
【図７】
2014130458.tif 000009
【図８】
2014130458.tif 000010
【図９】
2014130458.tif 000011
【図１０】
2014130458.tif 000012
【図１１】
2014130458.tif 000013
【図１２】
2014130458.tif 000014
【図１３】
2014130458.tif 000015
【図１４】
2014130458.tif 000016